(57)【要約】      （修正有）【課題】携帯機器の姿勢変化に伴う表示部のちらつきを抑制できる携帯機器を提供する。【解決手段】照度検出部２１は周囲の照度を検出する。傾斜検出部２２は携帯機器１００の基準姿勢に対する携帯機器１００の傾斜角を検出する。傾斜判定部２３１は傾斜角が所定の範囲内にあるか否かを判定する。表示制御部２３２は傾斜判定部２３１において肯定的な判定がなされたときに、照度検出部２１が検出する照度に基づいて表示部１０の明るさを制御し、傾斜判定部２３１において否定的な判定がなされたときに、表示部１０の明るさを維持する。【選択図】図２
2014154348.tif 000002
【特許請求の範囲】
【請求項１】
携帯機器であって、
表示部と、
周囲の照度を検出する照度検出部と、
前記携帯機器の基準姿勢に対する前記携帯機器の傾斜角を検出する傾斜検出部と、
前記傾斜角が所定の範囲内にあるか否かを判定する傾斜判定部と、
前記傾斜判定部において肯定的な判定がなされたときに、前記照度検出部が検出する照度に基づいて前記表示部の明るさを制御し、前記傾斜判定部において否定的な判定がなされたときに、前記表示部の明るさを維持する表示制御部と
を備える、携帯機器。
【請求項２】
前記傾斜角と前記照度との組を要素として有し、複数種類の照度環境を表す複数の照度パターンが予め記録された記録部と、
繰り返し検出される前記傾斜角および前記照度の組の複数によって構成される履歴データを、前記複数の照度パターンと照合して、前記履歴データに最も近い前記照度パターンを現在照度パターンとして選択するパターン決定部と、
前記現在照度パターンが変化したか否かを判定するパターン判定部と
を更に備え、
前記傾斜判定部おいて否定的な判定がなされた状態で、前記パターン判定部において肯定的な判定がなされたときに、前記表示制御部は前記照度検出部が検出する照度に基づいて前記表示部の明るさを制御する、請求項１に記載の携帯機器。
【請求項３】
前記傾斜角が前記所定の範囲内にないと判定されたときに、前記表示制御部は予め定められた明るさで前記表示部を制御する、請求項１に記載の携帯機器。
【請求項４】
前記照度検出部は周囲からの光を受ける面を有し、
前記所定の範囲は前記面が鉛直上方に向くときの前記傾斜角の値を含む、請求項１に記載の携帯機器。
【請求項５】
前記所定の範囲を決定する範囲決定部を更に備え、
前記範囲決定部は、繰り返し検出される前記傾斜角および前記照度の組の複数によって構成される履歴データにおいて、前記照度検出部に属して光を受ける前記面が鉛直上方に向くときの前記照度を基準照度とし、前記基準照度よりも所定の割合小さい最小照度と、前記基準照度よりも所定の割合大きい最大照度とで規定される前記傾斜角の範囲を、前記所定の範囲に決定する、請求項４に記載の携帯機器。
【請求項６】
携帯機器であって、
表示部と、
周囲の照度を検出する照度検出部と、
前記携帯機器の基準姿勢に対する前記携帯機器の傾斜角を検出する傾斜検出部と
を備える携帯機器における表示部を制御する方法であって、
前記傾斜角が所定の範囲内にあるか否かを判定する第１工程と、
前記第１工程において肯定的な判定がなされたときに、前記照度検出部が検出する照度に基づいて前記表示部の明るさを制御し、前記第１工程において否定的な判定がなされたときに、前記表示部の明るさを維持する第２工程と
を備える、携帯機器における表示部の制御方法。
【請求項７】
携帯機器であって、
表示部と、
周囲の照度を検出する照度検出部と、
前記携帯機器の基準姿勢に対する前記携帯機器の傾斜角を検出する傾斜検出部と
を備える携帯機器のコンピュータに、
前記傾斜角が所定の範囲内にあるか否かを判定する第１工程と、
前記第１工程において肯定的な判定がなされたときに、前記照度検出部が検出する照度に基づいて前記表示部の明るさを制御し、前記第１工程において否定的な判定がなされたときに、前記表示部の明るさを維持する第２工程と
を実行させる、プログラム。
【発明の詳細な説明】
【技術分野】
【０００１】
本発明は、携帯機器、携帯機器における表示部の制御方法およびプログラムに関する。
【背景技術】
【０００２】
従来の携帯電話機においては、液晶ディスプレイなどの表示部が設けられる。この液晶ディスプレイは液晶パネルとバックライトとを備える。液晶パネルにおいては、画素ごとに液晶の配光状態が制御される。これにより、バックライトからの光が画素ごとの透過率で液晶パネルを通過することとなり、ひいては表示部に画像が表示される。
【０００３】
しかしながら、周囲の明るさによっては当該表示部が暗すぎる、或いは明るすぎる場合がある。そこで携帯機電話機に照度センサを設け、当該照度センサによって検出された明るさ（照度）に応じて表示部の明るさを制御する技術が提案されている。より詳細には周囲の照度が高いほど表示部の明るさを高めている。
【０００４】
また本発明に関連する技術として特許文献１，２が開示されている。
【先行技術文献】
【特許文献】
【０００５】
【特許文献１】特開２０１０−３４９１４号公報
【特許文献２】特許第４５６３７６５号公報
【発明の概要】
【発明が解決しようとする課題】
【０００６】
しかしながら照度センサの感度は、光の入射角が大きいほど低下する。よって周囲の明るさが同じであっても、携帯機器の姿勢（例えば地面に対する傾き）に応じて光源からの光の入射角が変化するので、当該姿勢に応じて照度センサが検出する照度も変化する。
【０００７】
したがって従来の制御では、携帯機器の姿勢が変化することにより、表示部の明るさも変化する。この表示部の明るさの変化は携帯機器の姿勢の変化が大きいほど大きい。そして表示部の明るさの変化は表示部のちらつきとなり、利用者の不快感を招く。
【０００８】
そこで本発明は、携帯機器の姿勢変化に伴う表示部のちらつきを抑制できる携帯機器を提供することを目的とする。
【課題を解決するための手段】
【０００９】
本発明にかかる携帯機器の一態様は、表示部と、周囲の照度を検出する照度検出部と、前記携帯機器の基準姿勢に対する前記携帯機器の傾斜角を検出する傾斜検出部と、前記傾斜角が所定の範囲内にあるか否かを判定する傾斜判定部と、前記傾斜判定部において肯定的な判定がなされたときに、前記照度検出部が検出する照度に基づいて前記表示部の明るさを制御し、前記傾斜判定部において否定的な判定がなされたときに、以前の明るさで前記表示部を制御する表示制御部とを備える。
【００１０】
本発明にかかる携帯機器の一態様では、前記傾斜角と前記照度との組を要素として有し、複数種類の照度環境を表す複数の照度パターンが予め記録された記録部と、繰り返し検出される前記傾斜角および前記照度の組の複数によって構成される履歴データを、前記複数の照度パターンと照合して、前記履歴データに最も近い前記照度パターンを現在照度パターンとして選択するパターン決定部と、前記現在照度パターンが変化したか否かを判定するパターン判定部とを更に備え、前記傾斜判定部において否定的な判定がなされた状態で、前記パターン判定部において肯定的な判定がなされたときに、前記表示制御部は前記照度検出部が検出する照度に基づいて前記表示部の明るさを制御する。
【００１１】
本発明にかかる携帯機器の一態様では、前記傾斜角が前記所定の範囲内にないと判定されたときに、前記表示制御部は予め定められた明るさで前記表示部を制御する。
【００１２】
本発明にかかる携帯機器の一態様では、前記照度検出部は周囲からの光を受ける面を有し、前記所定の範囲は前記面が鉛直上方に向くときの前記傾斜角の値を含む。
【００１３】
本発明にかかる携帯機器の一態様では、前記所定の範囲を決定する範囲決定部を更に備え、前記範囲決定部は、繰り返し検出される前記傾斜角および前記照度の組の複数によって構成される履歴データにおいて、前記照度検出部に属して光を受ける前記面が鉛直上方に向くときの前記照度を基準照度とし、前記基準照度よりも所定の割合小さい最小照度と、前記基準照度よりも所定の割合大きい最大照度とで規定される前記傾斜角の範囲を、前記所定の範囲に決定する。
【００１４】
本発明にかかる携帯機器における表示部の制御方法の一態様は、携帯機器であって、表示部と、周囲の照度を検出する照度検出部と、前記携帯機器の基準姿勢に対する前記携帯機器の傾斜角を検出する傾斜検出部とを備える携帯機器における表示部を制御する方法であって、前記傾斜角が所定の範囲内にあるか否かを判定する第１工程と、前記第１工程において肯定的な判定がなされたときに、前記照度検出部が検出する照度に基づいて前記表示部の明るさを制御し、前記第１工程において否定的な判定がなされたときに、前記表示部の明るさを維持する第２工程とを備える。
【００１５】
本発明にかかるプログラムの一態様は、携帯機器であって、表示部と、周囲の照度を検出する照度検出部と、前記携帯機器の基準姿勢に対する前記携帯機器の傾斜角を検出する傾斜検出部とを備える携帯機器のコンピュータに、前記傾斜角が所定の範囲内にあるか否かを判定する第１工程と、前記第１工程において肯定的な判定がなされたときに、前記照度検出部が検出する照度に基づいて前記表示部の明るさを制御し、前記第１工程において否定的な判定がなされたときに、前記表示部の明るさを維持する第２工程とを実行させる。
【発明の効果】
【００１６】
本発明によれば、携帯機器の姿勢変化に伴う表示部のちらつきを抑制できる。
【図面の簡単な説明】
【００１７】
【図１】携帯機器の概念的な外観の一例を示す図である。
【図２】携帯機器の内部の概念的な構成の一例を示す図である。
【図３】照度検出部が照度を検出する様子を示す図である。
【図４】照度検出部が照度を検出する様子を示す図である。
【図５】携帯機器の傾斜を説明するための図である。
【図６】携帯機器の傾斜を説明するための図である。
【図７】傾斜角と照度との関係の一例を示す模式的な図である。
【図８】制御部の動作の一例を示すフローチャートである。
【図９】携帯機器の内部の概念的な構成の一例を示す図である。
【図１０】照度パターンの模式的な一例を示す図である。
【図１１】照度パターンの模式的な一例を示す図である。
【図１２】照度パターンの模式的な一例を示す図である。
【図１３】照度パターンの模式的な一例を示す図である。
【図１４】履歴データの模式的な一例を示す図である。
【図１５】制御部の動作の一例を示すフローチャートである。
【図１６】携帯機器の内部の概念的な構成の一例を示す図である。
【図１７】履歴データの模式的な一例を示す図である。
【発明を実施するための形態】
【００１８】
第１の実施の形態．
図１は、第１の実施の形態にかかる携帯機器１００の外観の一例を示す概念的な図である。この携帯機器１００には表示部１０が設けられる。表示部１０は画像を表示し、この画像が利用者によって視認される。また携帯機器１００には利用者によって操作される入力部１１が設けられる。なお表示部１０に入力部の機能を盛り込んでも構わない。かかる表示部１０はいわゆるタッチパネルと呼ばれる。
【００１９】
このような携帯機器１００は例えば携帯電話機、デジタルカメラ、携帯音楽再生機器、携帯映像再生機器、携帯コンピュータ、携帯ゲーム機または電子辞書などである。
【００２０】
図２は携帯機器１００の電気的な構成の一例を示す機能ブロック図である。携帯機器１００は照度検出部２１と傾斜検出部２２と制御部２３とを更に備える。制御部２３は照度検出部２１と傾斜検出部２２と入力部１１と表示部１０とに接続される。制御部２３は利用者による入力部１１への操作入力に基づいて携帯機器１００の全体を制御することができる。例えば携帯機器１００が携帯電話機である場合には、制御部２３は利用者の操作入力に基づいて携帯機器１００を制御して公知の通話制御を行う。
【００２１】
照度検出部２１は携帯機器１００の周囲の明るさ（照度）を検出する。ここでは照度検出部２１は携帯機器１００の内部に設けられるので、携帯機器１００には、周囲の光を照度検出部２１へと入射させるための入射窓１３が形成される（図１，３も参照）。
【００２２】
この照度検出部２１が検出する照度（以下、検出照度とも呼ぶ）は、当該照度検出部２１に対する光の入射角に依存する。なぜなら照度検出部２１の感度は、照度検出部２１（より詳細には光を受ける受光面）に対して光が垂直に入射するときに最も高く、当該入射角が大きいほど低下するからである。つまり周囲の明るさに変化がなくても、検出照度は入射角が大きいほど小さくなる。
【００２３】
例えば天井に固定された光源からの光が照度検出部２１に入射する場合を考慮する。図３に示すように、携帯機器１００の入射窓１３が鉛直上方を向いていると、光源からの光は比較的小さい入射角で照度検出部２１へと入射する。よって、このとき検出される検出照度は比較的高い。一方で、図４に示すように、携帯機器１００が傾くことで入射窓１３が斜め方向を向くと、光源からの光は比較的大きい入射角θで照度検出部２１へと入射する。よってこのときの検出照度は実際の照度よりも小さい。
【００２４】
そして一般的には、光源は利用者の上方に位置することが多い。よって入射窓１３が鉛直上方を向いた状態で検出される照度、換言すれば照度検出部２１の光を受ける受光面が上方を向きつつ、その受光面の法線が鉛直方向に沿う状態で検出される照度は、その信頼性が比較的高い。
【００２５】
傾斜検出部２２は携帯機器１００の基準姿勢に対する傾斜角を検出する。ここで傾斜角を定義すべく、互いに直交する仮想的なｘ軸、ｙ軸およびｚ軸を設定する。ここでは図１に示すように、携帯機器１００は略長方形の板状形状を有しており、ｚ軸を携帯機器１００の厚み方向に設定し、ｙ軸を携帯機器１００の長手方向に設定する。また携帯機器１００の基準姿勢を次の姿勢で定義する。即ち、図３のように、照度検出部２１の光を受ける受光面が上方を向きつつ当該受光面の法線が鉛直方向に沿う姿勢を基準姿勢と定義する。かかる基準姿勢に対する任意の傾斜は、ｘ軸、ｙ軸およびｚ軸のうち２つの軸の各々を中心とした回転角で表すことができる。ここでは、図５に示すようにｘ軸を中心とした回転角（以下、傾斜角αと呼ぶ）と、図６に示すようにｙ軸を中心とした回転角（以下、傾斜角βと呼ぶ）とで傾斜を表す。なお図５，６では、基準姿勢を採る携帯機器１００の外形が二点差線で示されている。
【００２６】
傾斜検出部２２は、例えばそれぞれｘ軸、ｙ軸及びｚ軸方向の加速度を検出する３つの加速度センサを有する。これら３つの加速度センサはそれぞれｘ軸、ｙ軸およびｚ軸の重力加速度成分を検出する。鉛直方向の重力加速度は既知であり、各軸の重力加速度成分が検出されるので、幾何学的な関係式により傾斜角α，βを算出できる。簡単のためにｘ軸を中心とした回転のみによる傾斜で説明する。重力加速度をｇとし、検出されるｘ軸、ｙ軸およびｚ軸の重力加速度成分をそれぞれｇｘ，ｇｙ，ｇｚとする。ここではｙ軸を中心とした回転は行なわれないので、重力加速度成分ｇｘは零であり、また傾斜角βは零である。ｙｚ平面における幾何学に鑑みると（図５を参照）、ｇ＝ｇｙ・ｓｉｎα，ｇ＝ｇｚ・ｃｏｓαが成立する。よって、重力加速度成分ｇｘ，ｇｙを用いて傾斜角αを算出できる。
【００２７】
なお傾斜検出部２２は必ずしも加速度センサを有する必要は無く、任意の傾斜検出部を採用すればよい。
【００２８】
表示部１０は制御部２３によって制御されて画像を表示するとともに、その明るさ（輝度）も制御部２３によって制御される。例えば表示部１０は公知の液晶ディスプレイであって、液晶パネルと、液晶パネルへと光を出力するバックライトとを備える。制御部２３は液晶パネルの画素ごとにその液晶の配向状態を制御して、画素ごとにバックライトからの光の透過率を制御する。これにより表示部１０に画像を表示させる。また制御部２３はバックライトの輝度を制御することで、表示部１０の明るさを制御することができる。なお表示部１０は液晶ディスプレイに限らず、例えばプラズマディスプレイ、有機ＥＬ(Electro-Luminescence)ディスプレイ、電界放出ディスプレイ等、明るさを制御可能な任意のディスプレイであっても良い。
【００２９】
図２の例示では、制御部２３は傾斜判定部２３１と表示制御部２３２とを備える。なおここでは、制御部２３はマイクロコンピュータと記憶装置を含んで構成される。マイクロコンピュータは、プログラムに記述された各処理ステップ（換言すれば手順）を実行する。上記記憶装置は、例えばＲＯＭ(Read-Only-Memory)、ＲＡＭ(Random-Access-Memory)、書き換え可能な不揮発性メモリ（ＥＰＲＯＭ(Erasable-Programmable-ROM)等）、ハードディスク装置などの各種記憶装置の１つ又は複数で構成可能である。当該記憶装置は、各種の情報やデータ等を格納し、またマイクロコンピュータが実行するプログラムを格納し、また、プログラムを実行するための作業領域を提供する。なお、マイクロコンピュータは、プログラムに記述された各処理ステップに対応する各種手段として機能するとも把握でき、あるいは、各処理ステップに対応する各種機能を実現するとも把握できる。また、制御部２３はこれに限らず、制御部２３によって実行される各種手順、あるいは実現される各種手段又は各種機能の一部又は全部をハードウェアで実現しても構わない。
【００３０】
傾斜判定部２３１は傾斜検出部２２によって検出された傾斜角α，βがそれぞれ所定の範囲（例えば±１０度）内にあるか否かを判定する。この所定の範囲は例えば予め設定され、例えば次のように設定することができる。まず予め決められた環境（例えば天井に光源が一つ存在する室内）で携帯機器１００の傾斜を変化させながら照度を検出することで、傾斜角α，βと照度との関係を求める。図７は当該関係の模式的な一例を示しており、代表的に傾斜角αのみを変化させている。そして傾斜角αがゼロであるときの検出照度を基準照度とすると、検出照度が当該基準照度の所定の割合（例えば９割）よりも大きい範囲を、所定の範囲αｒとして採用する。
【００３１】
さて一般的には光源は利用者の上方に位置することが多いので、照度検出部２１の受光面が鉛直上方を向けば（例えば図３）、光源からの光は比較的小さい入射角で当該受光面に入射する。よってこのときに照度検出部２１が検出する照度の信頼性は比較的高い。したがって所定の範囲には、受光面が鉛直上方を向くとき（受光面が上方を向きつつ当該受光面の法線が鉛直方向に沿うとき）の傾斜角α，βが含まれることが望ましい。図７の例示でも所定の範囲αｒはゼロを含んでいる。これにより、傾斜角が所定の範囲内にあるときに、高い信頼性で照度を検出できることとなる。言い換えれば所定の範囲とは、信頼性の高い照度を検出できるときの傾斜角α，βの範囲である。
【００３２】
そして傾斜角α，βがそれぞれ所定の範囲内にあると傾斜判定部２３１が判定したときには、表示制御部２３２は照度検出部２１の検出照度に応じて表示部１０の明るさを制御する。より具体的には、検出照度が大きいほど表示部１０の明るさを高める。表示部１０が液晶ディスプレイであれば、バックライトの輝度を高めることで表示部１０の明るさを高めることができる。
【００３３】
一方で、傾斜角α，βの少なくとも何れか一方が所定の範囲内にないと傾斜判定部２３１が判定したときには、表示制御部２３２は表示部１０の明るさを変更せずにそれまでの明るさを維持する。
【００３４】
そして傾斜判定部２３１および表示制御部２３２は上述の制御を繰り返し実行する。
【００３５】
このような表示部１０の明るさ制御によれば、傾斜角α，βがそれぞれ所定の範囲内にあるときに検出照度を用いて表示部１０を制御する。よって、信頼性の高い検出照度を用いて表示部１０の明るさを制御できる。また傾斜角α，βの少なくとも何れか一方が所定の範囲にないときには、それまでの明るさを維持する。これにより、比較的信頼性の低い検出照度は用いられない。
【００３６】
また本実施の形態とは異なって、全ての傾斜角において検出照度に応じて表示部１０の明るさを制御する場合、傾斜角に応じて検出照度が変化するので、傾斜角に応じて表示部１０の明るさが変化する。つまり表示部１０にちらつきが生じやすい。一方で、本実施の形態では傾斜角が大きいときには、傾斜角が小さいときに検出された検出照度を用いた明るさが維持される。よって携帯機器１００の姿勢変化に伴うちらつきを抑制することができる。
【００３７】
なお傾斜判定部２３１において傾斜角α，βがそれぞれ所定の範囲内にあると判定されたことが一度もない場合、比較的信頼性の高い検出照度を得ることができない。よって、傾斜角α，βがそれぞれ所定の範囲内にあると判定されたことが一度もない状態で、傾斜判定部２３１において傾斜角α，βの少なくとも何れか一方が所定の範囲内にないと判定されたときには、表示制御部２３２は予め定められた明るさで表示部１０を制御するとよい。これにより、傾斜角α，βがそれぞれ所定の範囲内にある状態が一度も発生したことがない状態であっても、表示部１０を制御できる。
【００３８】
図８は、第１の実施の形態にかかる制御部２３の動作の一例を示すフローチャートである。まずステップＳ１０にて、制御部２３は画面表示を行なう条件を満たしたことを了知する。例えば携帯機器１００の入力部１１が操作されることにより、当該条件が満たされる。かかる操作には電源投入などが含まれる。
【００３９】
次にステップＳ１１にて、傾斜検出部２２が傾斜角α，βを検出し、照度検出部２１が照度を検出する。次にステップＳ１２にて、傾斜判定部２３１は傾斜角α，βがそれぞれ所定の範囲内に在るか否かを判定する。傾斜角α，βの両方がそれぞれ所定の範囲内にあるときに肯定的な判定がなされ、傾斜角α，βの少なくとも何れか一方が所定の範囲内にないときに否定的な判定がなされる。そしてステップＳ１２にて肯定的な判定がなされれば、ステップＳ１３にて、表示制御部２３２は検出照度に基づいて表示部１０の明るさを制御する。一方、ステップＳ１２にて否定的な判定がなされれば、ステップＳ１４にて、表示制御部２３２は表示部１０の明るさを、予め定められた規定値に制御する。
【００４０】
ステップＳ１３又はステップＳ１４の次に、ステップＳ１５にて、再び傾斜角α，βと照度とを検出し、ステップＳ１６にて傾斜判定部２３１は傾斜角α，βがそれぞれ所定の範囲内にあるか否かを判定する。ステップＳ１６にて肯定的な判定がなされれば、ステップＳ１７にて表示制御部２３２は検出照度に基づいて表示部１０の明るさを制御する。一方、ステップＳ１６にて否定的な判定がなされれば、ステップＳ１８にて表示制御部２３２は表示部１０の明るさを直前の状態に維持する。
【００４１】
ステップＳ１７又はステップＳ１８の次に、ステップＳ１９にて、制御部２３は画面表示をオフすべきがどうかを判定する。かかる判定は公知であるので詳細な説明は省略するものの、例えば所定期間において表示部１０の表示内容に変化がなく、しかも入力部１１の操作入力もないときに、画面表示をオフすべきと判定する。ステップＳ１９にて肯定的な判定がなされれば、ステップＳ２０にて表示制御部２３２は表示部１０の表示を終了する。例えば表示部１０は液晶ディスプレイであれば、バックライトをオフする。ステップＳ１９にて否定的な判定がなされれば、再びステップＳ１５が実行される。
【００４２】
なお図１の例示では、携帯機器１００は一つの筐体を有しているものの、必ずしもこれに限らない。携帯機器１００は、例えば公知の携帯電話機のように開閉可能又はスライド可能に接続される２つの筐体を有していてもよい。このとき基準姿勢としては、例えば図３と同様に照度検出部２１の受光面が鉛直上方を向くときの姿勢を採用し、傾斜角としては、照度検出部２１が設けられる筐体の当該基準姿勢に対する傾斜角を採用すればよい。
【００４３】
第１変形例．
第１の実施の形態で説明した明るさ制御を常に実行する必要は無く、その要否が利用者によって設定されてもよい。例えば明るさ制御の要否が入力できるように入力部１１を構成する。例えばキースイッチで入力部１１を構成し、明るさ制御の要否の入力機能を当該キースイッチに割り当てればよい。そして、利用者によって明るさ制御が必要である旨の入力があったときには、制御部２３はそのフラグを記録部（不図示）に記録する。そして表示部１０に画像を表示するに際して、当該フラグが記録されていれば、制御部２３は第１の実施の形態のようにして表示部１０の明るさを制御し、当該フラグが記録されていなければ、予め設定された明るさで表示部１０を制御する。
【００４４】
かかる動作の一例として、図８のフローチャートにおいてステップＳ１０，Ｓ１１の間にて、制御部２３はフラグが記録されているか否かを判定し、肯定的な判定がなされたときに、ステップＳ１１を実行し、否定的な判定がなされたときに、表示制御部２３２が予め設定された明るさで表示部１０を制御すればよい。
【００４５】
このようにフラグが記録されていないときには傾斜角α，βと検出照度とを用いた明るさ制御が行なわれないので、傾斜検出部２２および照度検出部２１の動作を停止できる。よって、消費電力を低減することができる。
【００４６】
第２変形例．
入力部１１は例えばキースイッチであり、その少なくとも一部を、可視光について透過性を有する部材で形成し、携帯機器１００の内部において入力部１１と対面する位置にバックライトが設けられてもよい。これにより、入力部１１の少なくとも一部を光らせることができる。この場合にも、第１の実施の形態で説明した表示部１０の明るさ制御と同様にして、当該バックライトの明るさを制御しても構わない。
【００４７】
第２の実施の形態．
第１の実施の形態では、周囲の照度環境が変わった場合にその照度環境の変化が表示部１０の明るさ制御に反映されない場合がある。即ち、携帯機器１００を基準姿勢から大きく傾けたままで利用者が移動することにより周囲の照度環境が変わった場合、その照度環境の変化が表示部１０の明るさ制御に反映されない。なぜなら第１の実施の形態では、傾斜角α，βの少なくとも何れか一方が所定の範囲内にないときには、表示部１０の明るさはそれまでの明るさに維持されるからである。
【００４８】
よって例えば携帯機器１００を大きく傾けたままで明るい環境から暗い環境へと移動すると、表示部１０では明るい環境に基づく明るさが維持されるので、利用者にとっては表示部１０が眩しく目の負担になり得る。そこで第２の実施の形態ではかかる問題を解決することを目的とする。
【００４９】
図９に示すように、携帯機器１００は図２の携帯機器１００と比較して、記録部２４を更に備え、また制御部２３はパターン決定部２３３とパターン判定部２３４とを更に備える。
【００５０】
記録部２４には、周囲の照度環境を表す複数の照度パターンが予め記録される。照度パターンは傾斜角α，βと照度との組を要素として有し、例えば図１０〜１３で模式的に示される。図１０〜１３の例示では照度パターンは斜線の範囲で示されている。また実際には照度が傾斜角α，βに対して与えられるので、３次元で照度パターンが示される。例えば縦軸に傾斜角α、横軸に傾斜角β、高さ軸に照度を採用した３次元座標で照度パターンが示される。ただし図１０〜１３の例示では、簡単のために２次元で照度パターンが示されている。より詳細には、傾斜角βを無視して傾斜角αを横軸とし、照度を縦軸とした２次元座標において、照度パターンが示されている。
【００５１】
図１０，１３の各々は、例えば天井に２つの光源が設けられている場合の照度パターンを示し、図１１，１２の各々は、例えば天井に１つの光源が設けられている場合の照度パターンを示す。
【００５２】
また制御部２３は、所定周期で繰り返し検出される傾斜角α，βおよび検出照度を入力する。そしてこの傾斜角α，βおよび検出照度の組（以下、履歴要素と呼ぶ）の複数によって構成される履歴データを、記録部２４に記録する。この履歴データは照度環境を反映したデータとなり、その模式的な一例を図１４に示す。図１４において「×」が履歴要素を示す。また照度パターンと同様に、実際には履歴データは上述の３次元座標で示されるものの、図１４では簡単のために上述の２次元座標で履歴データが示されている。
【００５３】
また例えば履歴要素の個数の上限は予め決められていてもよい。そして、この上限を超えて傾斜角α，βおよび照度が検出されたときには、例えば履歴データから最も古い履歴要素を削除して最新の履歴要素を加えるとよい。
【００５４】
パターン決定部２３３は当該履歴データを、記録部２４に記録された複数の照度パターンと照合し、最も近い照度パターンを現在照度パターンとして記録部に記録する。例えば履歴データを構成する履歴要素のうち、照度パターンに含まれる個数が最も多いものを現在照度パターンとして記録する。例えば図１４の履歴データに対しては図１０の照度パターンが現在照度パターンとして決定される。かかる現在照度パターンの決定は所定周期ごとに繰り返し行なわれる。
【００５５】
パターン判定部２３４は現在照度パターンに変更が生じたか否かを判定する。
【００５６】
さて表示制御部２３２は、第１の実施の形態と同様にして傾斜角α，βがそれぞれ所定の範囲内にあると判定されたときに、検出照度に基づいて表示部１０の明るさを制御する。さらに第２の実施の形態では、傾斜判定部２３１において傾斜角α，βの少なくとも何れか一方が所定の範囲内にないと判定されたときに、パターン判定部２３４は現在照度パターンが変更したか否かも判定する。そして、傾斜角α，βの少なくとも何れか一方が所定の範囲内にない場合であっても、この現在照度パターンが変化したと判定される場合には、表示制御部２３２は検出照度に基づいて表示部１０の明るさを制御する。
【００５７】
一方で現在照度パターンが変化していないと判定された場合には、表示制御部２３２は表示部１０の明るさをそれまでの明るさに維持する。
【００５８】
以上のように、現在照度パターンに変更が生じる場合には、変更前の照度環境の検出照度を用いるのではなく、たとえ傾斜角α，βが大きい状態であっても変更後の照度環境の検出照度を用いて表示部１０の明るさを制御するのである。例えば利用者が明るい環境から暗い環境に移動した場合、検出照度は傾斜角α，βによらず低下するので、制御部２３は表示部１０の明るさを低減する。周囲が暗い状態で表示部１０が明るいと利用者の目に負担となるところ、このような負担を抑制することができる。
【００５９】
以上のように、照度環境の変化による利用者の目の負担を優先的に低減することができる。
【００６０】
また逆に暗い環境から明るい環境に移動する場合であって、変更後の照度環境で傾斜角α，βが大きいときの検出照度が、変更直前の照度環境で明るさ制御に採用された検出照度よりも高い場合には、当該移動によって表示制御部２３２は表示部１０の明るさを高めることとなる。この場合、表示部１０を視認しやすい。
【００６１】
図１５は第２の実施の形態にかかる制御部２３の動作の一例を示すフローチャートである。なおここでは制御部２３は、図１５のフローとは別の処理によって、所定の周期で繰り返し傾斜角α，βおよび検出照度を入力する。そして、これら履歴要素の複数を履歴データとして記録するものとする。なお履歴データの更新は例えば次のように行なわれる。即ち、例えば履歴要素の個数が上限を超えた場合に、最新の履歴要素を最も古い履歴要素と入れ替えて履歴データを更新する。
【００６２】
まずステップＳ３０にて、ステップＳ１０と同様に、制御部２３は画面表示を行なう条件を満たしたことを了知する。
【００６３】
次にステップＳ３１にて、傾斜判定部２３１によって最新の傾斜角α，βと検出照度とが取得される。次にステップＳ３２にて、傾斜判定部２３１はその傾斜角α，βがそれぞれ所定の範囲内にあるか否かを判定する。ステップＳ３２にて肯定的な判定がなされれば、ステップＳ３３にて表示制御部２３２は検出照度に基づいて表示部の明るさを制御する。ステップＳ３２にて否定的な判断がなされれば、ステップＳ３４にて表示制御部２３２は表示部１０の明るさを規定値に制御する。
【００６４】
ステップＳ３３またはステップＳ３４の次のステップＳ３５にて、傾斜判定部２３１は最新の傾斜角α，βと検出照度とを取得し、ステップＳ３６にて傾斜角α，βがそれぞれ所定の範囲内にあるか否かを判定する。ステップＳ３６にて肯定的な判定がなされれば、ステップＳ３７にて表示制御部２３２は検出照度に基づいて表示部１０の明るさを制御する。
【００６５】
ステップＳ３６にて否定的な判定がなされれば、ステップＳ３８にてパターン決定部２３３は履歴データと複数の照度パターンとを照合して現在照度パターンを決定する。次にステップＳ３９にてパターン判定部２３４は現在照度パターンに変更が生じたか否かを判定する。ステップＳ３９にて肯定的な判定がなされれば、ステップＳ３７にて表示制御部２３２は検出照度に基づいて表示部１０の明るさを制御する。ステップＳ３９にて否定的な判定がなされれば、ステップＳ４０にて表示制御部２３２は表示部１０の明るさを維持する。
【００６６】
ステップＳ３７またはステップＳ４０の次のステップＳ４１にて、制御部２３は、ステップＳ２０と同様に、画面表示をオフすべきがどうかを判定する。ステップＳ４１にて肯定的な判定がなされれば、ステップＳ４２にて表示制御部２３２は表示部１０の表示を終了する。ステップＳ４１にて否定的な判定がなされれば、再びステップＳ３５が実行される。
【００６７】
第３の実施の形態．
第１の実施の形態では、傾斜判定部２３１で採用される傾斜角α，βについての所定の範囲は予め設定された。第３の実施の形態では、図１６に示すように、制御部２３は範囲決定部２３５を更に備える。範囲決定部２３５は以下で説明するように履歴データに基づいて傾斜角α，βについての所定の範囲を決定する。
【００６８】
まず履歴データにおいて傾斜角α，βのいずれもが零であるときの検出照度を基準照度する。換言すれば、照度検出部２１の光を受ける面が鉛直上方を向くときの検出照度を基準照度とする。
【００６９】
図１７も参照して、範囲決定部２３５は基準照度よりも所定の割合（例えば１割）小さい最小照度Ｉｍｉｎと、基準照度よりも所定の割合（例えば１割）大きい最大照度Ｉｍａｘとで規定される傾斜角αの範囲を、傾斜角αについての所定の範囲αｒに決定する。なお、履歴データは離散値であるので適宜に補間処理を行なうことが望ましい。傾斜角βについても同様である。
【００７０】
これにより、照度環境に応じて所定の範囲を更新することができる。
【符号の説明】
【００７１】
１０  表示部
２１  照度検出部
２２  傾斜検出部
２３１  傾斜判定部
２３２  表示制御部
２３３  パターン決定部
２３４  パターン判定部
２３５  範囲決定部
１００  携帯機器
【図１】
2014154348.tif 000003
【図２】
2014154348.tif 000004
【図３】
2014154348.tif 000005
【図４】
2014154348.tif 000006
【図５】
2014154348.tif 000007
【図６】
2014154348.tif 000008
【図７】
2014154348.tif 000009
【図８】
2014154348.tif 000010
【図９】
2014154348.tif 000011
【図１０】
2014154348.tif 000012
【図１１】
2014154348.tif 000013
【図１２】
2014154348.tif 000014
【図１３】
2014154348.tif 000015
【図１４】
2014154348.tif 000016
【図１５】
2014154348.tif 000017
【図１６】
2014154348.tif 000018
【図１７】
2014154348.tif 000019